(57)【特許請求の範囲】
【請求項１】
複数種類の映像信号が入力される複数の入力チャンネルを有し、映像信号が出力される複数の出力チャンネルを有し、それら入力チャンネルと出力チャンネルの間に、特定の前記出力チャンネルと特定の前記入力チャンネルを接続することにより構築される映像出力ラインを複数組、構築し得るスイッチング手段を設けた、マルチシグナルマトリクススイッチャにおいて、
前記各出力チャンネルに出力される映像信号の出力映像を、前記映像出力ライン毎に調整し得る出力映像調整手段と、
前記映像出力ライン毎に調整された出力映像に付いての出力映像パラメータを、該映像出力ライン毎に区別して格納する、出力映像パラメータ格納手段と、を設け、
前記出力映像調整手段は、前記スイッチング手段により構築された映像出力ラインが、前記出力映像パラメータ格納手段に格納された出力映像パラメータに対応する映像出力ラインである場合に、前記出力映像パラメータ格納手段から前記対応する映像出力ラインに対応する出力映像パラメータを読み出して、該読み出された出力映像パラメータに基づいて前記出力画像を調整することを特徴とする、マルチシグナルマトリクススイッチャ。
【請求項２】
前記出力映像調整手段は、各出力チャンネルに出力される映像信号の出力映像を調整する際に、該出力チャンネルに接続された映像出力装置上に、調整すべき出力映像についての出力映像パラメータに関する調整メニューを表示させるようにしたことを特徴とする、請求項１記載のマルチシグナルマトリクススイッチャ。
【請求項３】
前記複数組の映像出力ラインの前記出力チャンネルと前記入力チャンネルの接続状態を格納する、映像出力ライン格納手段を設けて構成した、請求項１又は２に記載のマルチシグナルマトリクススイッチャ。
【請求項４】
前記映像出力ライン格納手段は、複数組の映像出力ラインの前記出力チャンネルと前記入力チャンネルの接続状態を、複数格納することが出来、
前記映像出力ライン格納手段に対して、それら格納された複数の映像出力ラインの出力チャンネルと入力チャンネルの接続状態の組み合わせを、選択的に読み出し、前記スイッチング手段に当該接続状態を実現するように制御する、スイッチング制御手段を設けて構成した、請求項３記載のマルチシグナルマトリクススイッチャ。
【発明の詳細な説明】
【０００１】
【発明の属する技術分野】
本発明は、複数の入力チャンネルから入力される、ＮＴＳＣやＲＧＢなどの複数種類の映像信号を、複数の出力チャンネルに出力することの出来る、マルチシグナルマトリクススイッチャに関する。
【０００２】
【従来の技術】
通常、この種のマルチシグナルマトリクススイッチャは、複数の入力チャンネルを持ち、かつ複数の出力チャンネルを持っており、入力チャンネルにビデオ装置、パソコンその他の複数の映像入力ソースが接続され、出力チャンネルにディスプレイやプロジェクタなどの複数の映像出力装置が接続され、それら映像入力ソースと複数の映像出力装置を、内部のマトリクススイッチで適宜切り替えることにより、特定の映像入力ソースと特定の映像出力装置を接続する機能を有している。
【０００３】
そして、このマルチシグナルマトリクススイッチャを用いることにより、特定の映像入力ソースと特定の映像出力装置を接続して映像出力ラインを構築し、該映像出力ラインを複数組、同時に稼働させることにより、各映像出力ラインを介して、複数の映像入力を同時に、複数の映像出力装置に出力して、多様な映像表現を可能とすることが出来る。
【０００４】
【発明が解決しようとする課題】
しかし、従来のマルチシグナルマトリクススイッチャは、個々の入力チャンネル毎に、画質、サイズ、表示位置などの出力映像パラメータを調整することは出来なかった。また、入力チャンネルを切り替えて、特定の出力チャンネルに入力チャンネルを介して接続される入力機器を変更するたびに、出力映像パラメータの調整が必要で、極めて操作が煩雑であった。
【０００５】
更に、効果的なプレゼンテーションを行うには、映像入力ソース及び映像出力装置を適宜切り替えて、即ち、映像出力ラインを変更して映像を表示することが行われるが、ある時点の複数組の映像出力ラインを、他の映像入力ソース及び映像出力装置の組み合わせから成る複数組の映像出力ラインに切り替え変更することは、極めて煩雑で、切り替えミスが生じやすい欠点があった。
【０００６】
本発明は、上記した事情に鑑み、各入力チャンネル毎に出力映像パラメータを調整し、その状態を格納しておくことが出来、また、入力チャンネルと出力チャンネルの組み合わせ複数、格納しておくことの出来る、マルチシグナルマトリクススイッチャを提供することを目的とするものである。
【０００７】
【課題を解決するための手段】
請求項１の発明は、複数種類の映像信号が入力される複数の入力チャンネル（Ａ、Ｂ、Ｃ、Ｄ、Ｅ、Ｆ、Ｇ、Ｈ）を有し、映像信号が出力される複数の出力チャンネル（Ｉ、Ｊ、Ｋ）を有し、それら入力チャンネルと出力チャンネルの間に、特定の前記出力チャンネル（例えば、出力チャンネルＪ（出力２））と特定の前記入力チャンネル（例えば、入力チャンネルＣ（入力３））を接続することにより構築される映像出力ラインを複数組、構築し得るスイッチング手段（７）を設けた、マルチシグナルマトリクススイッチャ（１）において、
前記各出力チャンネルに出力される映像信号の出力映像を、前記映像出力ライン毎に調整し得る出力映像調整手段（１０）と、
前記映像出力ライン毎に調整された出力映像に付いての出力映像パラメータを、該映像出力ライン毎に区別して格納する、出力映像パラメータ格納手段（１１）と、を設け、
前記出力映像調整手段（１０）は、前記スイッチング手段（７）により構築された映像出力ラインが、前記出力映像パラメータ格納手段（１１）に格納された出力映像パラメータに対応する映像出力ラインである場合に、前記出力映像パラメータ格納手段（１１）から前記対応する映像出力ラインに対応する出力映像パラメータを読み出して、該読み出された出力映像パラメータに基づいて前記出力画像を調整することを特徴として構成される。
【０００８】
請求項２の発明は、請求項１に記載のマルチシグナルマトリクススイッチャにおいて、前記出力映像調整手段（１０）は、各出力チャンネルに出力される映像信号の出力映像を調整する際に、該出力チャンネルに接続された映像出力装置上に、調整すべき出力映像についての出力映像パラメータに関する調整メニュー（ＭＥＮＵ）を表示させるようにしたことを特徴として構成される。
【０００９】
請求項３の発明は、請求項１又は２に記載のマルチシグナルマトリクススイッチャにおいて、前記複数組の映像出力ラインの前記出力チャンネルと前記入力チャンネルの接続状態（即ち、映像出力ライン）を格納する、映像出力ライン格納手段（１３）を設けて構成される。
【００１０】
請求項４の発明は、請求項３記載のマルチシグナルマトリクススイッチャにおいて、前記映像出力ライン格納手段（１３）は、複数組の映像出力ラインの前記出力チャンネル（Ｉ、Ｊ、Ｋ）と前記入力チャンネル（Ａ、Ｂ、Ｃ、Ｄ、Ｅ、Ｆ、Ｇ、Ｈ）の接続状態を、複数格納することが出来、
前記映像出力ライン格納手段に対して、それら格納された複数の映像出力ラインの出力チャンネル（Ｉ、Ｊ、Ｋ）と入力チャンネル（Ａ、Ｂ、Ｃ、Ｄ、Ｅ、Ｆ、Ｇ、Ｈ）の接続状態の組み合わせを、選択的に読み出し、前記スイッチング手段（７）に当該接続状態を実現するように制御する、スイッチング制御手段（１２）を設けて構成される。
【００１１】
【発明の効果】
請求項１の発明によれば、出力映像調整手段（１０）により、各出力チャンネルに出力される映像信号の出力映像を、前記映像出力ライン毎に調整する事が出来、出力チャンネルに接続される映像出力装置の種類に応じたきめの細かな調整が可能となる。また、出力映像パラメータ（例えば、画質、画像サイズ、座標位置、解像度など）が、映像出力ライン毎に区別して格納され、出力映像調整手段による出力画像の調整は、対応する映像出力ラインに関する出力映像パラメータを読み出して、該読み出された出力映像パラメータに基づいて行われるので、予め映像出力ライン毎に出力画像パラメータを調整して格納しておくことにより、プレゼンテーションの本番などで、画像の調整作業を行うことなく、直ちに適切な状態で映像を表示することが出来る。
【００１２】
請求項２の発明によれば、出力チャンネルに接続される映像出力装置の種類に応じたきめの細かな調整が可能となると共に、映像出力装置上に表示される調整メニュー（ＭＥＮＵ）を見ながら、出力映像の調整を行うことが出来る。
【００１３】
請求項３の発明によれば、出力チャンネルに接続される映像出力装置の種類に応じたきめの細かな調整が可能となると共に、複数組の映像出力ラインの前記出力チャンネルと前記入力チャンネルの接続状態（即ち、映像出力ライン）を格納する、映像出力ライン格納手段（１３）を設けたので、複雑な入力チャンネルと出力チャンネルの組み合わせからなる映像出力ラインを複数組、間違いなく記録しておくことが出来、信頼性の高いマルチシグナルマトリクススイッチャの提供が可能となる。
【００１４】
請求項４の発明によれば、出力チャンネルに接続される映像出力装置の種類に応じたきめの細かな調整が可能となると共に、スイッチング制御手段（１２）が、格納された複数の映像出力ラインの出力チャンネルと入力チャンネルの接続状態の組み合わせを、選択的に読み出し、スイッチング手段が当該接続状態を実現し得るように制御するので、複雑で困難な映像出力ラインの切り替えを、素早くかつ誤り無く行うことが可能となる。
【００１５】
なお、括弧内の番号等は、図面における対応する要素を示す便宜的なものであり、従って、本記述は図面上の記載に限定拘束されるものではない。
【００１６】
【発明の実施の形態】
図１は、本発明が適用される、マルチシグナルマトリクススイッチャの外観図、図２はマルチシグナルマトリクススイッチャの回路構成の一例を示すブロック図、図３は各映像出力装置上に表示されるオンスクリーンメニューの一例を示す図である。
【００１７】
マルチシグナルマトリクススイッチャ１は、図１に示すように、筐体２を有しており、筐体２の正面には、操作パネル２ａが設けられている。操作パネル２には、各８個づつの押しボタンスイッチから構成される、第１出力チャンネルボタン群３、第２出力チャンネルボタン群５、第３出力チャンネルボタン群６が設けられており、各出力チャンネルボタン群３、５、６は、マルチシグナルマトリクススイッチャ１の、Ｉ、Ｊ、Ｋの３個の出力チャンネル（図２で、出力１、出力２、出力３と表示）にそれぞれ対応している。なお、出力チャンネルの数は、任意であり、２チャンネル以上、何チャンネル設けられていても良い。その場合、設けられた出力チャンネルの数だけ、出力チャンネルボタン群が設けられる。
【００１８】
なお、入力チャンネルは、図２に示すように、Ａ、Ｂ、Ｃ、Ｄ、Ｅ、Ｆ、Ｇ、Ｈの８チャンネル設けられており、図中、入力１、入力２……入力８と表示されている。この８つの入力チャンネルが、図１の各出力チャンネルボタン群の８個に対応しており、８個の入力チャンネルと３個の出力チャンネルにより、合計２４個の押しボタンスイッチから成るマトリクスが構成されている。また、入力チャンネル数も、出力チャンネル数と同様に任意であり、２チャンネル以上、何チャンネル設けてもよい。
【００１９】
いま、各出力チャンネルボタン群を構成する押しボタンスイッチを入力チャンネルの数に対応させて、Ａ（入力１）、Ｂ（入力２）、Ｃ（入力３）、Ｄ（入力４）、Ｅ（入力５）、Ｆ（入力６）、Ｇ（入力７）、Ｈ（入力８）の８つのアルファベット記号で区分し、次に、出力チャンネルを表示する数字を付けてそれらの押しボタンスイッチを区別すると、図１に示すように表示される。例えば、Ａ１は、入力チャンネルがＡ（入力１）で出力チャンネルがＩ（出力１）に対応する押しボタンスイッチであり、Ｂ３は、入力チャンネルがＢ（入力２）で出力チャンネルがＣ（出力３）に対応する押しボタンスイッチであり、Ｆ２は、入力チャンネルがＦ（入力６）で出力チャンネルがＢ（出力２）に対応する押しボタンスイッチであり、Ｈ１は、入力チャンネルがＨ（入力８）で出力チャンネルがＡ（出力１）に対応する押しボタンスイッチである。
【００２０】
即ち、各出力チャンネルボタン群３、５、６を構成する押しボタンスイッチは、特定の入力チャンネルと特定の出力チャンネルを１対１に対応させる唯一無二のスイッチ手段であり、各出力チャンネルボタン群３、５、６を構成する、ある押しボタンスイッチを押下することは、特定の入力チャンネルと特定の出力チャンネルとが当該押しボタンスイッチにより唯一選択されて、特定の映像出力ラインが構築されることを意味する。
【００２１】
なお、操作パネル上には、他の押しボタンスイッチも多数も設けられているが、本発明に関連する押しボタンスイッチに付いては、後に説明する。
【００２２】
また、マルチシグナルマトリクススイッチャ１には、図２に示すように、入力信号セレクタ７が設けられており、入力信号セレクタ７には、前述の８個の入力チャンネルＡ、Ｂ、Ｃ、Ｄ、Ｅ、Ｆ、Ｇ、Ｈが設けられている。入力チャンネルＡ、Ｂ、Ｃ、Ｄは、ＮＴＳＣの映像信号用の入力チャンネルであり、入力チャンネルＥ、Ｆ、Ｇ、Ｈは、ＲＧＢの映像信号用の入力チャンネルである。入力信号セレクタ７には、前述の２４個の出力チャンネルボタン群３、５、６が設けられており、更に入力信号セレクタ７には、３個の信号変換部９Ａ、９Ｂ、９Ｃが接続している。
【００２３】
各信号変換部９Ａ、９Ｂ、９Ｃには、それぞれ信号調整部１０が接続しており、信号調整部１０には、信号調整データメモリ１１が接続している。信号調整データメモリ１１には、各映像出力ライン毎、即ち、特定の入力チャンネルと特定の出力チャンネル毎に、出力映像パラメータを格納するための格納領域１１ａが設けられており、各格納領域１１ａは、各映像出力ライン、従って、各出力チャンネルボタン群３、５、６を構成する、ある押しボタンスイッチと対応する形で２４個設けられている。図２では、各格納領域１１ａを区別するために、８つの入力チャンネルを区別するための記号として、ＩＮ１、ＩＮ２……ＩＮ８を、出力チャンネルを区別するための記号として、ＯＵＴ１、ＯＵＴ２、ＯＵＴ３を組み合わせて、マトリクスとして表示している。例えば、ＩＮ４．ＯＵＴ１は、入力チャンネルがＤ（入力４）で、出力チャンネルがＩ（出力１）の映像出力ラインに対応する格納領域１１ａであり、同時に出力チャンネルボタン群の押しボタンスイッチＤ１に対応している。
【００２４】
各信号変換部９Ａ、９Ｂ、９Ｃは、図２に示すように、３個の出力チャンネルＩ（出力１）、Ｊ（出力２）、Ｋ（出力２）に接続している。また、入力信号セレクタ７には、クロスポイントセレクトデータ設定部１２が接続しており、クロスポイントセレクトデータ設定部１２には、クロスポイントセレクトデータメモリ１３が接続している。クロスポイントセレクトデータメモリ１３には、出力チャンネルボタン群を構成する各押しボタンスイッチに対応する形で、各出力チャンネルボタン群３、５、６の押下状況、即ち、映像出力ラインの構築状態を格納するための格納領域１３ａが２４個設けられている。図２では、各格納領域１３ａを区別するために、８つの入力チャンネルを区別するための記号として、ＩＮ１、ＩＮ２……ＩＮ８を、出力チャンネルを区別するための記号として、ＯＵＴ１、ＯＵＴ２、ＯＵＴ３を組み合わせて、マトリクスとして表示している。例えば、ＩＮ６．ＯＵＴ２は、出力チャンネルボタン群の押しボタンスイッチＦ２に対応している。なお、各信号調整データメモリ１１及びクロスポイントセレクトデータメモリ１３の各格納領域の数は任意であり、必要に応じて何個設けられていてもよく、また特にこうした格納領域１１ａ、１３ａを固定的に設けることなく、何らかのフラグを用いてデータ領域を圧縮する形で格納領域１１ａ、１３ａを設けることもできる。
【００２５】
マルチシグナルマトリクススイッチャ１は、以上のような構成を有するので、マルチシグナルマトリクススイッチャ１を用いて、複数の映像入力ソースを用いて、複数の映像出力装置に映像を表示させるプレゼンテーションを行うには、まず、当該プレゼンテーションに先立って、所定の段取り作業を行う。
【００２６】
ます、入力すべき複数の図示しない、ビデオ装置やパソコンなどの映像入力ソースを、マルチシグナルマトリクススイッチャ１の各入力チャンネルＡ（入力１）、Ｂ（入力２）、Ｃ（入力３）、Ｄ（入力４）、Ｅ（入力５）、Ｆ（入力６）、Ｇ（入力７）、Ｈ（入力８）に接続する。この際、映像入力ソースの映像信号がＮＴＳＣの場合には、入力チャンネルのＡ（入力１）、Ｂ（入力２）、Ｃ（入力３）、Ｄ（入力４）に接続し、ＲＧＢの場合には、入力チャンネルのＥ（入力５）、Ｆ（入力６）、Ｇ（入力７）、Ｈ（入力８）に接続する。
【００２７】
次に、各出力チャンネルＩ（出力１）、Ｊ（出力２）、Ｋ（出力２）には、プロジェクタやディスプレイなどの映像出力装置をそれぞれ接続し、その状態で、オペレータは、最初に各映像出力装置で使用する入力ソースを、出力チャンネルボタン群の各押しボタンスイッチを押下することにより、選択し、各映像出力装置を、特定の入力ソースに関連付けて、映像出力ラインを構築する。
【００２８】
例えば、出力チャンネルＩ（出力１）に接続された映像出力装置で表示すべき入力ソースを選択するには、第１出力チャンネルボタン群３を構成する８個の押しボタンスイッチＡ１、Ｂ１、Ｃ１、Ｄ１、Ｅ１、Ｆ１、Ｇ１、Ｈ１の内、表示すべき入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈの内、押下された押しボタンスイッチに対応する入力チャンネルと、出力チャンネルＩ（出力１）を、信号変換部９Ａを介して接続して、押下された押しボタンスイッチに対応した入力チャンネルと出力チャンネルＩ（出力１）からなる、第１の映像出力ラインを構築する。
【００２９】
次に、出力チャンネルＪ（出力２）に接続された映像出力装置で表示すべき入力ソースを選択するには、第２出力チャンネルボタン群５を構成する８個の押しボタンスイッチＡ２、Ｂ２、Ｃ２、Ｄ２、Ｅ２、Ｆ２、Ｇ２、Ｈ２の内、表示すべき入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈの内、押下された押しボタンスイッチに対応する入力チャンネルと、出力チャンネルＪ（出力２）を、信号変換部９Ｂを介して接続して、押下された押しボタンスイッチに対応した入力チャンネルと出力チャンネルＪ（出力２）からなる、第２の映像出力ラインを構築する。
【００３０】
次に、出力チャンネルＫ（出力３）に接続された映像出力装置で表示すべき入力ソースを選択するには、第３出力チャンネルボタン群６を構成する８個の押しボタンスイッチＡ３、Ｂ３、Ｃ３、Ｄ３、Ｅ３、Ｆ３、Ｇ３、Ｈ３の内、表示すべき入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈの内、押下された押しボタンスイッチに対応する入力チャンネルと、出力チャンネルＫ（出力３）を、信号変換部９Ｃを介して接続して、押下された押しボタンスイッチに対応した入力チャンネルと出力チャンネルＫ（出力３）からなる、第３の映像出力ラインを構築する。
【００３１】
こうすることにより、３つ映像出力装置に対してそれぞれの入力ソースが、選択された入力チャンネルを介して関連付けられ、特定の入力チャンネルと特定の出力チャンネルが関連付けられた形の、３つの映像出力ラインが構築される。
【００３２】
この状態で、オペレータは、操作パネル２ａ上のクロスポイント設定ボタン１５を押下する。すると、クロスポイントセレクトデータ設定部１２が起動される。その状態で、オペレータが出力チャンネルボタン群の２４個の押しボタンスイッチの内、適宜な押しボタンスイッチを押下することにより、クロスポイントセレクトデータ設定部１２は、当該押下された押しボタンスイッチに対応するクロスポイントセレクトデータメモリ１３の格納領域１３ａに、クロスポイント設定ボタン１５が押下された時点の、３つの映像出力ラインの構築状態を格納する。
【００３３】
例えば、出力チャンネルＩ（出力１）に入力チャンネルＣ（入力３）が、出力チャンネルＪ（出力２）に入力チャンネルＨ（入力８）が、出力チャンネルＫ（出力３）に入力チャンネルＡ（入力１）が接続され、出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）なる３つの映像出力ラインが構築された状態で、クロスポイント設定ボタン１５が押下され、例えば押しボタンスイッチＤ２が押下された場合には、押しボタンスイッチＤ２に対応した、クロスポイントセレクトデータメモリ１３内の、「ＩＮ４．ＯＵＴ２」なる格納領域１３ａに、上記した３つの映像出力ライン、即ち、「出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）」が格納される。
【００３４】
なお、クロスポイントセレクトデータメモリ１３への、映像出力ラインの組み合わせの格納は、必ずしも行う必要はない。例えば、プレゼンテーションで、映像出力ラインの組み合わせをプレゼンテーション最初の設定のまま使用し、プレゼンテーション中に、切り替えを行わないような場合には、特に設定された映像出力ラインの組み合わせを格納する必要はない。
【００３５】
こうして、各出力チャンネルについての映像出力ラインが構築されたところで、オペレータは、操作パネル２ａ上の映像調整パネル２ｂに設けられた適宜な押しボタンスイッチを押下して、各映像出力ライン毎に、接続された入力ソース及び映像出力装置に対応した形で、画質、サイズ、表示位置などの出力映像パラメータを調整する。各出力チャンネルに接続された信号変換部９Ａ、９Ｂ、９Ｃでは、映像出力ラインに接続された入力ソースの映像信号（ＮＴＳＣ、ＲＧＢなど）を、出力チャンネルに接続された映像出力装置の映像信号（ＮＴＳＣ、ＲＧＢなど）に適合するように変換し、出力するが、この際、各信号調整部１０では、映像出力装置で表示されるべき映像の、画質、画像サイズ、座標位置、解像度などの出力映像パラメータを設定する。
【００３６】
出力映像パラメータの設定は、図３に示すように、対応する映像出力ラインに接続された映像出力装置のスクリーン上に、出力映像パラメータについての調整メニューＭＥＮＵを表示させ、該調整メニューＭＥＮＵを参照しながら、オペレータが映像調整パネル２ｂ上の押しボタンスイッチ１６を操作することにより、行う。オペレータは、調整すべき映像出力装置の画面上の映像を見ながら、マルチシグナルマトリクススイッチャ１の映像調整パネル２ｂ上で、各映像出力装置の映像パラメータを調整することが出来るので、映像出力装置が高所などに設けられていたような場合に、わざわざ映像出力装置にまで出向く必要がなく、極めて便利である。
【００３７】
各映像パラメータとしては、画質として、輝度、コントラスト、彩度、色相、シャープネス、ガンマ係数などがあり、画像サイズとして、拡大、縮小などがあり、座標位置として、水平座標、垂直座標などがあり、解像度として、ＳＶＧＡ、ＸＧＡ、ＳＸＧＡなどがあるが、これ等のパラメータは以上のものに限定されず、必要に応じて適宜設定が可能である。
【００３８】
こうして、各映像出力ラインについて、出力映像パラメータが設定されると、各信号調整部１０は、各映像出力ラインの入力チャンネルと出力チャンネルの組み合わせにより決定される信号調整データメモリ１１の対応する格納領域１１ａ内に、調整された出力映像パラメータを格納する。信号調整データメモリ１１には、既に述べたように、入力チャンネルと出力チャンネルの可能な組み合わせの全てについて（この場合、２４個）、出力映像パラメータを格納する格納領域１１ａが設けられているので、全ての入力チャンネルと出力チャンネルの組み合わせに関して、出力映像パラメータを格納しておくことが出来る。これにより、同じ入力チャンネルと出力チャンネルの組み合わせで映像出力ラインが構築された場合、対応する信号調整データメモリ１１の格納領域１１ａから、出力映像パラメータを読み出して、信号調整部１０の出力映像パラメータの調整に使用することにより、ワンタッチで調整が完了し、一度調整が済んだ映像出力ラインについて、再度同じ調整を行う必要が無く、作業を効率的に行うことが出来る。
【００３９】
こうして、ある３組の映像出力ラインについて、それぞれの出力映像パラメータの調整及び、信号調整データメモリ１１への格納が完了したところで、オペレータは、必要がある場合には、更なる映像出力ラインの構築を行う。
【００４０】
この場合でも、既に述べたように、新たに構築された複数の映像出力ライン、即ち入力チャンネルと出力チャンネルの組み合わせは、クロスポイントセレクトデータ設定部１２により、出力チャンネルボタン群を構成する任意の押しボタンスイッチに対応したクロスポイントセレクトデータメモリ１３の格納領域１３ａに格納される。
【００４１】
こうして、全ての設定が終了したとことで、マルチシグナルマトリクススイッチャ１を使用した、プレゼンテーション本番にはいるが、オペレータはまず、最初に使用する映像出力ラインの組み合わせを再現するために、自己が記憶させた出力チャンネルボタン群中の特定の押しボタンスイッチを押下する。すると、クロスポイントセレクトデータ設定部１２は、押下された押しボタンスイッチに対応するクロスポイントセレクトデータメモリ１３の格納領域１３ａから、オペレータにより予め設定格納された映像出力ラインの組み合わせを呼び出し、入力信号セレクタ７の接続状態を、当該映像出力ラインの組み合わせに基づいて設定するように制御する。これにより、ワンタッチで、複数の映像出力ラインが設定される。
【００４２】
複数の映像出力ラインが設定されると、各信号変換部９Ａ、９Ｂ、９Ｃに接続された信号調整部１０は、当該設定された映像出力ラインの、入力チャンネルと出力チャンネルの組み合わせから、信号調整データメモリ１１の、入力チャンネルと出力チャンネルの組み合わせに対応した格納領域１１ａから、既にオペレータにより調整済みの出力映像パラメータを読み出して、当該出力映像パラメータに基づいて、映像出力装置の出力画像を調整する。この出力映像パラメータは、既に述べたように、予めオペレータが当該映像出力ラインについて調整したパラメータであるので、映像出力ラインの出力画像は直ちに適正な状態に調整される。
【００４３】
この状態で、各映像出力ラインを用いて、対応する入力チャンネルに接続された入力ソースから映像信号を出力し、所定の映像を各映像出力装置に表示して行くが、映像出力ラインの組み合わせを変更する場合には、オペレータは、変更すべき映像出力ラインの組み合わせをクロスポイントセレクトデータメモリ１３に格納する際に、押下した出力チャンネルボタン群の対応する押しボタンスイッチを押下するだけで、当該押しボタンスイッチに対応するクロスポイントセレクトデータメモリ１３内の格納領域１３ａに格納された映像出力ラインの組み合わせが読み出され、入力信号セレクタ７により直ちに設定され、同時に、新たに設定された各映像出力ラインの出力映像パラメータが、信号調整データメモリ１１の対応する格納領域１１ａから読み出され、各信号調整部１０により直ちに設定されるので、オペレータは何らの調整作業も行う必要はない。
【００４４】
なお、各出力チャンネルに接続される映像出力装置が、同一の装置である場合には、映像信号の出力映像パラメータによる調整は、入力チャンネル毎に対してのみ行うようにしてもよい。こうすることにより、信号調整データメモリ１１に格納する出力映像パラメータは、入力チャンネルにのみ対応させることが出来、メモリ領域の圧縮が図られる。
【図面の簡単な説明】
【図１】    図１は、本発明が適用される、マルチシグナルマトリクススイッチャの外観図である。
【図２】    図２はマルチシグナルマトリクススイッチャの回路構成の一例を示すブロック図である。
【図３】    図３は各映像出力装置上に表示されるオンスクリーンメニューの一例を示す図である。
【符号の説明】
１……マルチシグナルマトリクススイッチャ
７……スイッチング手段（入力信号セレクタ）
１０……出力映像調整手段（信号調整部）
１１……出力映像パラメータ格納手段（信号調整データメモリ）
１２……スイッチング制御手段（クロスポイントセレクトデータ設定部）
１３……映像出力ライン格納手段（クロスポイントセレクトデータメモリ）
ＭＥＮＵ……メニュー
Ａ、Ｂ、Ｃ、Ｄ、Ｅ、Ｆ、Ｇ、Ｈ……入力チャンネル
Ｉ、Ｊ、Ｋ……出力チャンネル
【図１】
0003646086.tif 000002
【図２】
0003646086.tif 000003
【図３】
0003646086.tif 000004